(57)【要約】  特定の移動機以外の移動機に特定のＢＴＳを利用させず、かつ、特定の移動機に特定のＢＴＳを利用させることができる無線ネットワーク制御装置および無線ネットワーク制御方法を提供することを目的とする。接続要求に含まれるＴＭＳＩが加入者情報記憶部（１４０）に記憶されていない場合に、上位装置からＴＭＳＩに対応するＩＭＳＩを取得し、加入者情報記憶部（１４０）に記憶されている各種情報に基づいて、移動機と基地局装置との間の無線通信に対してアクセス制御を行う。
2010004608.tif 000002
【特許請求の範囲】
【請求項１】
移動機固有の識別情報に対応づけて、該移動機との間で無線通信を行うことが許容される基地局装置を識別するための基地局識別情報を記憶する記憶部と、
ある移動機から受信した識別情報が、該ある移動機に対して一時的に割り当てられている識別情報である場合に、上位装置から該識別情報に対応する該ある移動機固有の識別情報を取得する取得部と、
前記記憶部において、取得した該ある移動機固有の識別情報に対応づけられた基地局識別情報に基づいて、該ある移動機と基地局装置との間の無線通信の制御を行う無線通信制御部と、
を備えたことを特徴とする無線ネットワーク制御装置。
【請求項２】
前記取得部は、前記一時的に割り当てられている識別情報に対応づけて無線通信を行うことが許容される基地局装置を識別するための基地局識別情報が前記記憶部に記憶されていない場合に、前記取得を行い、
前記無線通信制御部は、前記一時的に割り当てられている識別情報に対応づけて無線通信を行うことが許容される基地局装置を識別するための基地局識別情報が前記記憶部に記憶されている場合には、前記記憶部に記憶された内容に基づいて、該ある移動機と基地局装置との間の無線通信の制御を行う、
ことを特徴とする請求項１記載の無線ネットワーク制御装置。
【請求項３】
基地局装置が周波数帯の異なる複数のセルを収容しているか否かを判定する複数セル有無判定部と、
前記ある移動機から、無線通信を行う場合に用いられるセルを示すセル情報を含む接続要求を受け付けた場合に、前記記憶部に記憶されている基地局識別情報に基づいて、前記移動機と、前記接続要求に含まれるセル情報が示すセルを収容している基地局装置である接続要求対象基地局装置との間で無線通信を行うことが許可されているか否かを判定する利用許可判定部とをさらに備え、
前記記憶部は、前記基地局識別情報に対応付けて、該基地局識別情報が示す基地局装置によって収容されるセルが存在する領域を含む領域にセルを収容する基地局装置である周辺基地局装置を識別するための周辺基地局識別情報をさらに記憶し、
前記複数セル有無判定部は、前記ある移動機から前記接続要求を受け付けた場合に、前記接続要求対象基地局装置の周辺基地局装置が、周波数帯の異なる複数のセルを収容しているか否かを判定し、
前記無線通信制御部は、前記複数セル有無判定部によって前記周辺基地局装置が複数のセルを収容していると判定され、かつ、前記利用許可判定部によって前記移動機と前記接続要求対象基地局装置との間で無線通信を行うことが許可されていないと判定された場合に、前記ある移動機に対して、前記周辺基地局装置によって収容されている複数のセルのうち、前記接続要求に含まれるセル情報が示すセルの周波数帯と異なる周波数帯のセルを用いて無線通信を行うように指示する、
ことを特徴とする請求項１に記載の無線ネットワーク制御装置。
【請求項４】
前記無線通信制御部は、前記複数セル有無判定部によって前記周辺基地局装置が複数のセルを収容していないと判定され、かつ、前記利用許可判定部によって前記移動機と前記接続要求対象基地局装置との間で無線通信を行うことが許可されていないと判定された場合に、前記ある移動機に対して、前記周辺基地局装置との間で無線通信を行うように指示する、
ことを特徴とする請求項３に記載の無線ネットワーク制御装置。
【請求項５】
前記加入者情報記憶部から、前記接続要求対象基地局装置を周辺基地局装置とする基地局装置の基地局識別情報を取得する基地局識別情報取得部と、
前記基地局識別情報取得部によって取得された基地局識別情報が示す基地局装置によって収容されているセルの周波数帯と、前記接続要求に含まれるセル情報が示すセルの周波数帯とが同一であるか否かを判定する周波数帯同一判定部とをさらに備え、
前記複数セル有無判定部は、前記接続要求対象基地局装置が周辺基地局装置である場合に、該接続要求対象基地局装置が周波数帯の異なる複数のセルを収容しているか否かを判定し、
前記無線通信制御部は、前記複数セル有無判定部によって前記接続要求対象基地局装置が周波数帯の異なる複数のセルを収容していると判定され、かつ、前記周波数帯同一判定部によって同一でないと判定された場合に、前記ある移動機に対して、前記接続要求対象基地局装置によって収容されている複数のセルのうち、前記接続要求に含まれるセル情報が示すセルの周波数帯と異なる周波数帯のセルによって無線通信を行うように指示する、
ことを特徴とする請求項３または４に記載の無線ネットワーク制御装置。
【請求項６】
前記取得部は、前記記憶部に記憶されている識別情報に対応する前記一時的に割り当てられている識別情報を、前記上位装置から定期的に取得する、
ことを特徴とする請求項１に記載の無線ネットワーク制御装置。
【請求項７】
基地局装置との間で通信を行う無線ネットワーク制御装置による無線ネットワーク制御方法であって、
前記無線ネットワーク制御装置が、
ある移動機から受信した識別情報が、該ある移動機に対して一時的に割り当てられている識別情報である場合に、上位装置から該識別情報に対応する該ある移動機固有の識別情報を取得する取得工程と、
移動機固有の識別情報に対応づけて、該移動機との間で無線通信を行うことが許容される基地局装置を識別するための基地局識別情報を記憶する記憶部において、取得した該ある移動機固有の識別情報に対応づけられた基地局識別情報に基づいて、該ある移動機と基地局装置との間の無線通信の制御を行う無線通信制御工程と、
を含んだことを特徴とする無線ネットワーク制御方法。
【発明の詳細な説明】
【技術分野】
【０００１】
本発明は、無線ネットワーク制御装置および無線ネットワーク制御方法に関する。
【背景技術】
【０００２】
近年、移動機の普及率が増大していることや、移動機が高機能化していることによって、無線ネットワークシステムにおける通信量が増大している。そのため、無線ネットワークシステムを提供する通信事業者は、加入者に対して品質のよいサービスを提供することを目的として、多くのＢＴＳ（Base  Transceiver  Station：基地局装置）を設置したり、同一の領域に周波数帯の異なる複数のセルを収容するＢＴＳを設置したりしている。【０００３】
また、通信事業者は、ビル内や地下などの電波強度が微弱となる場所においても品質のよいサービスを提供することを目的として、小エリアのセルであるフェムトセルを収容する小型のＢＴＳ（以下、「小型ＢＴＳ」という）を設置することがある。【０００４】
ところで、特定の加入者に対してのみ小型ＢＴＳを利用させて、特定の加入者に、より品質のよいサービスを提供したいという通信事業者の要望がある。ところが、従来の無線ネットワークシステムは、特定の移動機に対してのみ、特定のＢＴＳ（または小型ＢＴＳ）を利用させるといったアクセス制御機能を有していなかった。そのため、特定の加入者に限定して小型ＢＴＳを提供するという仕組みがないという問題や、小型ＢＴＳを利用できる場合であっても伝送速度が低速になったり、小型ＢＴＳとの間で無線接続しにくくなったりするという問題があった。【０００５】
他方、予め登録されたユーザ認識ＩＤを所定の記憶部に登録しておき、移動機からＲＡＣＨ（Random  Access  Channel）でＲＲＣ（Radio  Resource  Control）コネクション要求があった場合に、ＲＡＣＨに含まれるＩＤ（ＩＭＳＩ：International  Mobile  Subscriber  Identity）が、所定の記憶部に記憶されているＩＤと一致するか否かを判断し、一致する場合には、上位装置にＲＲＣコネクション要求を送信し、一致しない場合にはＲＲＣコネクション要求を破棄することにより、基地局を設置したユーザの移動機が独占的に使用できる基地局が知られている。【０００６】
【特許文献１】特開２００８−０９２３８１号公報
【特許文献２】特開２００８−０７９１９２号公報
【特許文献３】特開２００５−０６５２６０号公報
【発明の開示】
【発明が解決しようとする課題】
【０００７】
しかしながら、移動機から送信されるＲＲＣコネクション要求（以下、「接続要求」という）には、ＩＭＳＩでなく、一時的に払い出される識別情報（ＴＭＳＩ：Temporary  Mobile  Subscriber  Identity）などが含まれる場合がある。通信事業者は、ＴＭＳＩなどの一時的に払い出される識別情報を事前に把握できない場合が多いので、一時的に払い出される識別情報を全てＢＴＳに登録しておくことができない。このため、上記従来のＢＴＳでは、一時的に払い出される識別情報を含む接続要求を受け付けた場合に、アクセス制御を行うことができるとは限らなかった。なお、仮に、ＩＭＳＩまたは一時的に払い出されるＴＭＳＩなど以外の識別情報を用いてアクセス制御を実現しようとすると、既存の移動機に新しい機能を実装する必要がある。【０００８】
また、上述した従来技術には、周波数帯の異なる複数のセルが存在する領域に所在する特定の加入者は、小型ＢＴＳを利用できない場合があるという問題があった。具体的には、複数のセルが存在する領域に所在する移動機は、現在無線通信に用いている周波数帯以外の周波数帯の測定を行わず、同一の周波数帯を測定してセル選択する場合がある。これは、複数の周波数帯を測定すると、移動機の消費電力が増大してしまうからである。また、小型ＢＴＳは小型化するにあたり一つまたは周辺セルより狭い周波数帯を使用していることが考えられる。このため、移動機は、小型ＢＴＳによって収容されているフェムトセルの周波数帯と異なる周波数帯によって無線通信を行っている場合、かかるフェムトセルに在圏する場合であっても小型ＢＴＳを利用するすべがない。【０００９】
このようなことから、上述した従来技術では、特定の移動機以外の移動機に特定のＢＴＳを利用させず、かつ、特定の移動機に特定のＢＴＳを利用させるという制御を行うことができなかった。【００１０】
開示の技術は、上述した従来技術による問題点を解消するためになされたものであり、特定の移動機以外の移動機に特定の基地局を利用させず、かつ、特定の移動機に特定の基地局を利用させることができる無線ネットワーク制御装置および無線ネットワーク制御方法を提供することを目的とする。
【課題を解決するための手段】
【００１１】
上述した課題を解決し、目的を達成するために、本願に開示する無線ネットワーク制御装置は、移動機固有の識別情報に対応づけて、該移動機との間で無線通信を行うことが許容される基地局装置を識別するための基地局識別情報を記憶する記憶部と、ある移動機から受信した識別情報が、該ある移動機に対して一時的に割り当てられている識別情報である場合に、上位装置から該識別情報に対応する該ある移動機固有の識別情報を取得する取得部と、前記記憶部において、取得した該ある移動機固有の識別情報に対応づけられた基地局識別情報に基づいて、該ある移動機と基地局装置との間の無線通信の制御を行う無線通信制御部と、を備えたことを要件とする。【００１２】
なお、本願に開示する無線ネットワーク制御装置の構成要素、表現または構成要素の任意の組合せを、方法、装置、システム、コンピュータプログラム、記録媒体、データ構造などに適用したものも、他の態様として有効である。
【発明の効果】
【００１３】
本願に開示した無線ネットワーク制御装置によれば、特定の移動機以外の移動機に特定の基地局を利用させず、かつ、特定の移動機に特定の基地局を利用させることができるという効果を奏する。
【図面の簡単な説明】
【００１４】
【図１】図１は、実施例に係るＲＮＣを含む無線アクセスネットワークの一例を示す図である。
【図２】図２は、図１に示した無線アクセスネットワークに含まれる各装置間における処理の流れを示すシーケンス図である。
【図３】図３は、ＲＲＣ  ＣＯＮＮＥＣＴＩＯＮ  ＲＥＱＵＥＳＴのフレームフォーマットを示す図である。
【図４】図４は、ＭＥＡＳＵＲＥＭＥＮＴ  ＣＯＮＴＲＯＬのフレームフォーマットを示す図である。
【図５】図５は、実施例に係るＲＮＣを含む無線アクセスネットワークの一例を示す図である。
【図６】図６は、図５に示した無線アクセスネットワークに含まれる各装置間における処理の流れを示すシーケンス図である。
【図７】図７は、移動機に個別チャネルを割り当てない場合における無線アクセスネットワークに含まれる各装置間における処理の流れを示すシーケンス図である。
【図８】図８は、ＲＲＣ  ＣＯＮＮＥＣＴＩＯＮ  ＲＥＪＥＣＴのフレームフォーマットを示す図である。
【図９】図９は、実施例に係るＲＮＣを含む無線アクセスネットワークの一例を示す図である。
【図１０】図１０は、図９に示した無線アクセスネットワークに含まれる各装置間における処理の流れを示すシーケンス図である。
【図１１】図１１は、実施例に係るＲＮＣの構成を示す図である。
【図１２】図１２は、加入者情報記憶部の一例を示す図である。
【図１３】図１３は、ＲＮＣによるアクセス制御処理手順を示すフローチャートである。
【図１４】図１４は、無線アクセスネットワークの一例を示す図である。
【符号の説明】
【００１５】
１、２、３、９              無線アクセスネットワーク
１０                        ＣＮ
１０ａ                      上位装置
２０、２０ａ〜２０ｄ        ＢＴＳ
３０、３０ａ〜３０ｃ        小型ＢＴＳ
４０〜４４                  移動機
１００、１００ａ〜１００ｄ  ＲＮＣ
１１０                      伝送路Ｉ／Ｆ
１２０                      基地局Ｉ／Ｆ
１３０                      ＳＷ
１４０                      加入者情報記憶部
１５０                      機能部
１５１                      識別情報有無判定部
１５２                      端末識別情報取得部
１５３                      接続要求対象判定部
１５４                      複数セル有無判定部
１５５                      利用許可判定部
１５６                      基地局識別情報取得部
１５７                      周波数帯同一判定部
１５８                      通信指示部
９００、９００ａ〜９００ｃ  ＲＮＣ
【発明を実施するための最良の形態】
【００１６】
以下に、本願に開示する無線ネットワーク制御装置および無線ネットワーク制御方法の実施例を図面に基づいて詳細に説明する。なお、この実施例により本願に開示する無線ネットワーク制御装置および無線ネットワーク制御方法が限定されるものではない。また、以下では、移動機に対して一時的に払い出される識別情報としてＴＭＳＩを用いる例を示すが、一時的に払い出される識別情報は、Ｐ−ＴＭＳＩ（Packet  Temporary  Mobile  Subscriber  Identity）や、ＬＡＩ（Location  Area  Identification）、ＲＡＩ（Routing  Area  Identification）などの他の識別情報であってもよい。
【実施例】
【００１７】
まず、本実施例に係る無線ネットワークについて説明する。図１４は、無線アクセスネットワーク９の一例を示す図である。図１４に示すように、無線アクセスネットワーク９は、ＣＮ（Core  Network：コアネットワーク）１０と、無線ネットワーク制御装置（以下、「ＲＮＣ：Radio  Network  Controller」という）９００ａ〜９００ｃと、ＢＴＳ２０ａ、２０−１ｂ、２０−２ｂおよび２０ｃと、小型ＢＴＳ３０ａ〜３０ｃと、移動機４１とを含む。【００１８】
なお、以下の説明では、ＲＮＣ９００ａ〜９００ｃについて、いずれかを特定する必要がない場合には、これらを総称してＲＮＣ９００と表記するものとする。同様に、ＢＴＳ２０ａ等について、いずれかを特定する必要がない場合には、これらを総称してＢＴＳ２０と表記するものとする。同様に、小型ＢＴＳ３０ａ〜３０ｃについて、いずれかを特定する必要がない場合には、これらを総称して小型ＢＴＳ３０と表記するものとする。【００１９】
ＣＮ１０は、大容量の広域ネットワークであり、上位装置１０ａを含む。上位装置１０ａは、位置制御や、呼制御、サービス制御を行う装置であり、例えば、ＧＭＭＳ（Gateway  Mobile  Multimedia  switching  System）や、ＬＭＭＳ（Local  Mobile  Multimedia  switching  System）、ＧＧＳＮ（Gateway  GPRS（General  Packet  Radio  Service）  Support  Node）、ＳＧＳＮ（Serving  GPRS  Support  Node）である。また、上位装置１０ａは、移動機４１に対して、移動機に対して固定的に割り当てられる移動機固有の識別情報（ＩＭＳＩ）に対応する一時的な識別情報（本実施例ではＴＭＳＩ）を割り当てる（払い出す）処理を行い、所定の記憶部にＩＭＳＩに対応付けて一時的に割り当てた（払い出された）識別情報（本実施例ではＴＭＳＩ）を保持する。【００２０】
ＲＮＣ９００は、ＢＴＳ２０を管理し、無線通信を実現するために必要な各種制御を実行する通信制御装置である。図１４に示した例では、ＲＮＣ９００ａは、ＢＴＳ２０ａを管理し、ＲＮＣ９００ｂは、ＢＴＳ２０−１ｂおよび２０−２ｂを管理し、ＲＮＣ９００ｃは、ＢＴＳ２０ｃおよび小型ＢＴＳ３０ａ〜３０ｃを管理する。このように、ＲＮＣ９００は、複数のＢＴＳを管理することが可能である。【００２１】
ＢＴＳ２０は、所定の広さを有する無線通信領域であるセルを収容し、自局が収容するセルに在圏する移動機４１等の移動機との間で無線通信を行う通信装置である。図１４に示した例では、ＢＴＳ２０ａは、セルＣ２０ａを収容し、ＢＴＳ２０−１ｂは、セルＣ２０−１ｂを収容し、ＢＴＳ２０−２ｂは、セルＣ２０−２ｂを収容し、ＢＴＳ２０ｃは、セルＣ２０−１ｃおよびＣ２０−２ｃを収容する。このように、ＢＴＳ２０は、同一の領域に周波数帯の異なる複数のセルを収容することが可能である。なお、図１４に示した例において、セルＣ２０−１ｃの周波数帯はｆ１であり、セルＣ２０−２ｃの周波数帯はｆ２であるものとする。【００２２】
小型ＢＴＳ３０は、フェムトセルを収容し、自局が収容するフェムトセルに在圏する移動機４１等の移動機との間で無線通信を行う通信装置である。図１４に示した例では、小型ＢＴＳ３０ａは、フェムトセルＣ３０ａを収容し、小型ＢＴＳ３０ｂは、フェムトセルＣ３０ｂを収容し、小型ＢＴＳ３０ｃは、フェムトセルＣ３０ｃを収容する。なお、図１４に示した例において、フェムトセルＣ３０ａ〜Ｃ３０ｃの周波数帯は、ｆ１であるものとする。すなわち、図１４に示した例では、ＢＴＳ２０ｃが収容するセルＣ２０−１ｃの周波数帯と、小型ＢＴＳ３０ａ〜３０ｃが収容するフェムトセルＣ３０ａ〜Ｃ３０ｃの周波数帯とは同一である。【００２３】
移動機４１は、移動可能な無線通信装置であり、例えば、携帯電話端末である。移動機４１は、自身が所在するセルを収容しているＢＴＳ２０、または、自身が所在するフェムトセルを収容している小型ＢＴＳ３０を介して他の移動機等と通信を行う。例えば、移動機４１が、セルＣ２０ａが存在する領域に所在する場合、移動機４１は、ＢＴＳ２０ａを介して他の移動機等と通信を行う。【００２４】
また、例えば、図１４に示した例のように、移動機４１が、セルＣ２０−１ｃまたはセルＣ２０−２ｃが存在する領域に所在する場合、移動機４１は、ＢＴＳ２０ｃまたは小型ＢＴＳ３０を介して他の移動機等と通信を行う。このとき、移動機４１が利用する無線基地局装置やセルは、ＲＮＣ９００ｃから送信される報知情報（ＢＣＨ：Broadcast  Channel）によって決定される。【００２５】
具体的には、報知情報のＳｙｓｔｅｍ  ｉｎｆｏｒｍａｔｉｏｎには、周波数帯が設定される項目（以下、「指定周波数帯」という）が存在する。かかる指定周波数帯に「周波数帯ｆ１」が設定されている場合、移動機４１は、周波数帯ｆ１のセルＣ２０−１ｃを収容するＢＴＳ２０ｃ、および、周波数帯ｆ１のフェムトセルＣ３０ａ〜Ｃ３０ｃを収容する小型ＢＴＳ３０から送信される信号の受信強度を測定する。そして、移動機４１は、受信強度の測定結果を、ＲＮＣ９００ｃへ送信する。かかる測定結果を受信したＲＮＣ９００ｃは、移動機４１に対して、受信強度が最も良好になるセルまたはフェムトセルを用いて、ＢＴＳ２０ｃまたは小型ＢＴＳ３０のいずれかとの間で無線通信を行うように指示する。【００２６】
また、報知情報の指定周波数帯に「周波数帯ｆ２」が設定されている場合、移動機４１は、周波数帯ｆ２のセルＣ２０−２ｃを収容するＢＴＳ２０ｃから送信される信号の受信強度を測定し、測定結果をＲＮＣ９００ｃへ送信する。かかる測定結果を受信したＲＮＣ９００ｃは、測定結果が規定値以上である場合に、移動機４１に対して、ＢＴＳ２０ｃとの間で無線通信を行うように指示する。【００２７】
なお、ＲＮＣ９００は、周波数帯の異なる複数のセルが存在する領域に対して、１つの周波数帯において受信強度を測定するように報知情報を送信する場合がある。図１４に示した例では、ＲＮＣ９００ｃは、セルＣ２０−１ｃおよびセルＣ２０−２ｃが存在する領域に所在する移動機４１に対して、周波数帯ｆ１または周波数帯ｆ２のいずれか一方において受信強度を測定するように報知情報を送信する。これは、移動機４１に複数の周波数帯における受信強度を測定させると、移動機４１の消費電力が増大してしまうからである。【００２８】
さて、本実施例に係るＲＮＣは、更に、特定の移動機以外の移動機に特定のＢＴＳを利用させず、かつ、特定の移動機に特定のＢＴＳを利用させる制御を行う。図１〜図１０を用いて、本実施例に係るＲＮＣの概要について説明する。以下では、（１）１つの周波数帯のセルおよびフェムトセルが存在する領域に所在する移動機から、小型ＢＴＳとの間で無線通信を行う旨の接続要求を受け付けた場合におけるＲＮＣの処理の概要と、（２）２つの周波数帯のセルまたはフェムトセルが存在する領域に所在する移動機から、ＢＴＳとの間で無線通信を行う旨の接続要求を受け付けた場合におけるＲＮＣの処理の概要と、（３）２つの周波数帯のセルまたはフェムトセルが存在する領域に所在する移動機から、小型ＢＴＳとの間で無線通信を行う旨の接続要求を受け付けた場合におけるＲＮＣの処理の概要について、順に説明する。【００２９】
まず、上記（１）１つの周波数帯のセルおよびフェムトセルが存在する領域に所在する移動機から、小型ＢＴＳとの間で無線通信を行う旨の接続要求を受け付けた場合におけるＲＮＣの処理の概要について説明する。図１は、本実施例に係るＲＮＣ１００ａ〜１００ｃを含む無線アクセスネットワーク１の一例を示す図である。なお、以下では、図１４に示した構成部位と同様の機能を有する部位には同一符号を付すこととして、その詳細な説明を省略する。【００３０】
図１に示した無線アクセスネットワーク１は、図１４に示した無線アクセスネットワーク９に含まれるＢＴＳ２０ｃの代わりに、ＢＴＳ２０ｄを含む。ＢＴＳ２０ｄは、周波数帯がｆ１であるセルＣ２０ｄを収容する。【００３１】
また、図１に示した無線アクセスネットワーク１は、図１４に示した無線アクセスネットワーク９に含まれるＲＮＣ９００の代わりに、ＲＮＣ１００ａ、１００ｂおよび１００ｄを含む。なお、以下の説明では、ＲＮＣ１００ａ等について、いずれかを特定する必要がない場合には、これらを総称してＲＮＣ１００と表記するものとする。【００３２】
ＲＮＣ１００は、加入者に関する各種情報を記憶する加入者情報記憶部１４０を有する。加入者情報記憶部１４０は、移動機のＩＭＳＩおよびＴＭＳＩと、移動機との間で無線通信を行うことが許可されている小型ＢＴＳ３０を識別するための識別情報（以下、「小型ＢＴＳ識別情報」という）と、小型ＢＴＳ３０によって収容されているフェムトセルが存在する領域を含む領域にセルを収容しているＢＴＳ（以下、「周辺ＢＴＳ」という）を識別するための識別情報（以下、「周辺ＢＴＳ識別情報」という）とを対応付けて記憶する。図１に示した例では、小型ＢＴＳ３０ａ〜３０ｃの周辺ＢＴＳは、ＢＴＳ２０ｄである。なお、以下では、ＩＭＳＩまたはＴＭＳＩについて、いずれかを特定する必要がない場合には、これらを総称して「端末識別情報」と表記するものとする。【００３３】
図１に示した例において、移動機４２は、周波数帯ｆ１において受信強度を測定するように指示されているものとする。また、移動機４２は、図１に示したように、フェムトセルＣ３０ａに在圏するものとする。また、移動機４２は、小型ＢＴＳ３０ａとの間で無線通信を行うことが許可されていないものとする。【００３４】
このような条件の下、フェムトセルＣ３０ａに在圏する移動機４２は、他の移動機と通信を行う場合に、小型ＢＴＳ３０ａとの間で無線通信を行う旨の接続要求をＲＮＣ１００ｄへ送信する（ステップＳ１０）。かかる接続要求を受け付けたＲＮＣ１００ｄは、接続要求に含まれる端末識別情報がＴＭＳＩである場合に、かかるＴＭＳＩが加入者情報記憶部１４０に記憶されているか否かを判定する。接続要求に含まれるＴＭＳＩが加入者情報記憶部１４０に記憶されていない場合、ＲＮＣ１００ｄは、上位装置１０ａから、接続要求に含まれるＴＭＳＩに対応するＩＭＳＩを取得する（ステップＳ１１）。【００３５】
続いて、ＲＮＣ１００ｄは、移動機４２が、周波数帯の異なる複数のセルが存在する領域に所在しているか否かを判定する。図１に示した例のように、移動機４２が、周波数帯の異なる複数のセルが存在する領域に所在していない場合、ＲＮＣ１００ｄは、移動機４２と小型ＢＴＳ３０ａとの間で無線通信を行うことが許可されているか否かに関わらず、移動機４２に対して、小型ＢＴＳ３０ａとの間で無線接続することを許可する。これは、移動機４２に個別チャネル（ＤＣＨ：Dedicated  Channel）を割り当てることで、移動機４２に対してのみ、受信強度の測定指示やハンドオーバ実行指示などを行えるようにするためである。【００３６】
続いて、ＲＮＣ１００ｄは、加入者情報記憶部１４０に記憶されている各種情報に基づいて、移動機４２と小型ＢＴＳ３０ａとの間で無線通信を行うことが許可されているか否かを判定する。図１に示した例のように、移動機４２と小型ＢＴＳ３０ａとの間で無線通信を行うことが許可されていない場合、ＲＮＣ１００ｄは、移動機４２に対して、ＢＴＳ２０ｄとの間で無線通信を行うように指示する（ステップＳ１２）。かかる指示を受け付けた移動機４２は、ＢＴＳ２０ｄを介して他の移動機等と通信を行う（ステップＳ１３）。【００３７】
図２を用いて、上記処理の流れについて具体的に説明する。図２は、図１に示した無線アクセスネットワーク１に含まれる各装置間における処理の流れを示すシーケンス図である。【００３８】
図２に示すように、移動機４２は、小型ＢＴＳ３０ａを経由して、ＲＲＣ  ＣＯＮＮＥＣＴＩＯＮ  ＲＥＱＵＥＳＴ（接続要求）をＲＮＣ１００ｄへ送信する（ステップＳ１０１）。図３に、ＲＲＣ  ＣＯＮＮＥＣＴＩＯＮ  ＲＥＱＵＥＳＴのフレームフォーマットを示す。図３に示すように、ＲＲＣ  ＣＯＮＮＥＣＴＩＯＮ  ＲＥＱＵＥＳＴには、Ｉｎｉｔｉａｌ  ＵＥ  ｉｄｅｎｔｉｔｙという項目が存在する。移動機４２は、Ｉｎｉｔｉａｌ  ＵＥ  ｉｄｅｎｔｉｔｙに、自局を識別するための端末識別情報（ＩＭＳＩまたはＴＭＳＩ）を設定して、ＲＲＣ  ＣＯＮＮＥＣＴＩＯＮ  ＲＥＱＵＥＳＴを送信する。【００３９】
かかる接続要求を受け付けたＲＮＣ１００ｄは、接続要求に含まれる端末識別情報がＴＭＳＩである場合に、かかるＴＭＳＩが加入者情報記憶部１４０に記憶されているか否かを判定する（ステップＳ１０２）。ＴＭＳＩが加入者情報記憶部１４０に記憶されていない場合、ＲＮＣ１００ｄは、上位装置１０ａに対して、かかるＴＭＳＩに対応するＩＭＳＩを問い合わせ（ステップＳ１０３）、上位装置１０ａから、ＴＭＳＩに対応するＩＭＳＩを取得する（ステップＳ１０４）。なお、接続要求にＩＭＳＩが含まれる場合、または、接続要求に含まれるＴＭＳＩが加入者情報記憶部１４０に記憶されている場合、ＲＮＣ１００ｄは、上述したＩＭＳＩ取得処理を行わない。【００４０】
続いて、ＲＮＣ１００ｄは、Ｒａｄｉｏ  ｌｉｎｋ  ｓｅｔｕｐを小型ＢＴＳ３０ａへ送信する（ステップＳ１０５）。そして、ＲＮＣ１００ｄは、小型ＢＴＳ３０ａからＲａｄｉｏ  ｌｉｎｋ  ｓｅｔｕｐ  ｃｏｎｆｉｒｍを受け付け（ステップＳ１０６）、小型ＢＴＳ３０ａとの間で無線リンク（Ｒａｄｉｏ  ｌｉｎｋ）を設定する。【００４１】
続いて、ＲＮＣ１００ｄは、小型ＢＴＳ３０ａを経由して、ＲＲＣ  ＣＯＮＮＥＣＴＩＯＮ  ＳＥＴＵＰを移動機４２へ送信する（ステップＳ１０７）。これにより、移動機４２に個別チャネルが割り当てられる（ステップＳ１０８）。その後、移動機４２は、小型ＢＴＳ３０ａとの接続が完了したことを示すＲＲＣ  ＣＯＮＮＥＣＴＩＯＮ  ＳＥＴＵＰ  ＣＯＭＰＬＥＴＥを、ＲＮＣ１００ｄへ送信する（ステップＳ１０９）。【００４２】
続いて、ＲＮＣ１００ｄは、接続要求に含まれる端末識別情報、または、上位装置１０ａから取得したＩＭＳＩを用いて、加入者情報記憶部１４０に記憶されている各種情報を取得する。そして、ＲＮＣ１００ｄは、取得した各種情報に基づいて、移動機４２と小型ＢＴＳ３０ａとの間で無線通信を行うことが許可されているか否かを判定する（ステップＳ１１０）。ここでは、ＲＮＣ１００ｄは、移動機４２と小型ＢＴＳ３０ａとの間で無線通信を行うことが許可されていないと判定する。【００４３】
続いて、ＲＮＣ１００ｄは、小型ＢＴＳ３０ａ以外のＢＴＳまたは小型ＢＴＳとの間で無線通信を行わせるために、ＭＥＡＳＵＲＥＭＥＮＴ  ＣＯＮＴＲＯＬを移動機４２へ送信する（ステップＳ１１１）。図４に、ＭＥＡＳＵＲＥＭＥＮＴ  ＣＯＮＴＲＯＬのフレームフォーマットを示す。図４に示すように、ＭＥＡＳＵＲＥＭＥＮＴ  ＣＯＮＴＲＯＬには、Ａｄｄｉｔｉｏｎａｌ  ｍｅａｓｕｒｅｍｅｎｔｓ  ｌｉｓｔという項目が存在する。ＲＮＣ１００ｄは、Ａｄｄｉｔｉｏｎａｌ  ｍｅａｓｕｒｅｍｅｎｔｓ  ｌｉｓｔに、小型ＢＴＳ３０ａを設定せずにＭＥＡＳＵＲＥＭＥＮＴ  ＣＯＮＴＲＯＬを送信する。なお、ＭＥＡＳＵＲＥＭＥＮＴ  ＣＯＮＴＲＯＬは、個別チャネルによって送信されるので、ＲＮＣ１００ｄは、移動機４２に対してのみ、小型ＢＴＳ３０ａ以外のＢＴＳまたは小型ＢＴＳを利用するように指示することができる。【００４４】
ＭＥＡＳＵＲＥＭＥＮＴ  ＣＯＮＴＲＯＬを受信した移動機４２は、周波数帯ｆ１のセルＣ２０ｄにおける受信強度を測定する（ステップＳ１１２）。続いて、移動機４２は、受信強度の測定結果を通知するために、ＭＥＡＳＵＲＥＭＥＮＴ  ＲＥＰＯＲＴを、ＲＮＣ１００ｄへ送信する（ステップＳ１１３）。【００４５】
かかるＭＥＡＳＵＲＥＭＥＮＴ  ＲＥＰＯＲＴを受信したＲＮＣ１００ｄは、測定結果の受信強度が規定値以上である場合に、移動機４２にセルＣ２０ｄを収容するＢＴＳ２０ｄを利用させる。【００４６】
具体的には、ＲＮＣ１００ｄは、Ｒａｄｉｏ  ｌｉｎｋ  ｓｅｔｕｐをＢＴＳ２０ｄへ送信する（ステップＳ１１４）。そして、ＲＮＣ１００ｄは、ＢＴＳ２０ｄからＲａｄｉｏ  ｌｉｎｋ  ｓｅｔｕｐ  ｃｏｎｆｉｒｍを受け付けて（ステップＳ１１５）、ＢＴＳ２０ｄとの間で無線リンクを設定する。続いて、ＲＮＣ１００ｄは、フェムトセルＣ３０ａからセルＣ２０ｄへハンドオーバさせるために、移動機４２に対して、ＰＨＹＳＩＣＡＬ  ＣＨＡＮＮＥＬ  ＲＥＣＯＮＦＩＧＵＲＡＴＩＯＮを送信する（ステップＳ１１６）。なお、ＰＨＹＳＩＣＡＬ  ＣＨＡＮＮＥＬ  ＲＥＣＯＮＦＩＧＵＲＡＴＩＯＮは、個別チャネルによって送信されるため、ＲＮＣ１００ｄは、移動機４２に対してのみハンドオーバをさせることができる。【００４７】
また、ＲＮＣ１００ｄは、上位装置１０ａに対してＳｅｒｖｉｃｅ  Ｒｅｑｕｅｓｔを送信して（ステップＳ１１７）、ＳＣＣＰ（Signaling  Connection  Control  Part）接続を確立する。【００４８】
ＰＨＹＳＩＣＡＬ  ＣＨＡＮＮＥＬ  ＲＥＣＯＮＦＩＧＵＲＡＴＩＯＮを受信した移動機４２は、ハンドオーバ処理が完了したことを通知するために、ＰＨＹＳＩＣＡＬ  ＣＨＡＮＮＥＬ  ＲＥＣＯＮＦＩＧＵＲＡＴＩＯＮ  ＣＯＭＰＬＥＴＥを、ＲＮＣ１００ｄへ送信する（ステップＳ１１８）。以後、移動機４２は、ＢＴＳ２０ｄを介して他の移動機等と通信を行う。【００４９】
続いて、ＲＮＣ１００ｄは、小型ＢＴＳ３０ａへＲａｄｉｏ  ｌｉｎｋ  ｄｅｌｅｔｉｏｎ  ｒｅｑｕｅｓｔを送信する（ステップＳ１１９）。そして、ＲＮＣ１００ｄは、小型ＢＴＳ３０ａからＲａｄｉｏ  ｌｉｎｋ  ｄｅｌｅｔｉｏｎ  ｒｅｓｐｏｎｓｅを受け付ける（ステップＳ１２０）。これにより、ＲＮＣ１００ｄは、小型ＢＴＳ３０ａとの無線リンクを削除する。【００５０】
なお、移動機４２と小型ＢＴＳ３０ａとの間で無線通信を行うことが許可されている場合、ＲＮＣ１００ｄは、移動機４２に対してハンドオーバ処理を行わせない。かかる場合、移動機４２は、小型ＢＴＳ３０ａを介して他の移動機と通信を行うことになる。【００５１】
このように、本実施例に係るＲＮＣ１００は、接続要求に含まれるＴＭＳＩが加入者情報記憶部１４０に記憶されていない場合に、上位装置１０ａからＴＭＳＩに対応するＩＭＳＩを取得するので、移動機と小型ＢＴＳとの間で無線通信を行うことが許可されているか否かを確実に判定することができる。これにより、ＲＮＣ１００は、特定の移動機以外に特定のＢＴＳを利用させないアクセス制御を行うことができる。【００５２】
また、本実施例に係るＲＮＣ１００は、移動機から接続要求を受け付けた場合に、移動機に対して個別チャネルを割り当てた後に、ハンドオーバ処理を行わせるので、他の移動機に影響を与えることなく、特定の移動機に対してのみアクセス制御を行うことができる。【００５３】
次に、上記（２）２つの周波数帯のセルまたはフェムトセルが存在する領域に所在する移動機から、ＢＴＳとの間で無線通信を行う旨の接続要求を受け付けた場合におけるＲＮＣの処理の概要について説明する。図５は、本実施例に係るＲＮＣ１００ａ〜１００ｃを含む無線アクセスネットワーク２の一例を示す図である。図５に示した無線アクセスネットワーク２は、図１４に示した無線アクセスネットワーク９に含まれるＲＮＣ９００の代わりに、ＲＮＣ１００ａ〜１００ｃを含む。【００５４】
図５に示した例において、移動機４３は、周波数帯ｆ２において受信強度を測定するように指示されているものとする。また、移動機４３は、図５に示したように、セルＣ２０−２ｃに在圏するものとする。また、移動機４３は、小型ＢＴＳ３０ａとの間で無線通信を行うことが許可されているものとする。【００５５】
このような条件の下、セルＣ２０−２ｃに在圏する移動機４３は、他の移動機と通信を行う場合に、セルＣ２０−２ｃを用いてＢＴＳ２０ｃとの間で無線通信を行う旨の接続要求をＲＮＣ１００ｃへ送信する（ステップＳ２０）。かかる接続要求を受け付けたＲＮＣ１００ｃは、図１に示した例と同様に、接続要求に含まれるＴＭＳＩが加入者情報記憶部１４０に記憶されていない場合に、接続要求に含まれるＴＭＳＩに対応するＩＭＳＩを取得する（ステップＳ２１）。【００５６】
続いて、ＲＮＣ１００ｃは、移動機４３に対して、ＢＴＳ２０ｃを利用することを許可する。これにより、移動機４３に個別チャネルが割り当てられ、ＲＮＣ１００ｃは、移動機４３に対してのみ、受信強度の測定指示などを行うことが可能になる。続いて、ＲＮＣ１００ｃは、加入者情報記憶部１４０に記憶されている各種情報に基づいて、移動機４３との間で無線通信を行うことが許可されている小型ＢＴＳであり、かつ、周辺ＢＴＳがＢＴＳ２０ｃである小型ＢＴＳであり、かつ、移動機４３に測定指示中の周波数帯ｆ２と異なる周波数帯のフェムトセルを収容する小型ＢＴＳが存在するか否かを判定する。【００５７】
図５に示した例のように、移動機４３との間で無線通信を行うことが許可されており、かつ、周辺ＢＴＳがＢＴＳ２０ｃであり、かつ、周波数帯ｆ２と異なる周波数帯ｆ１のフェムトセルＣ３０ａを収容する小型ＢＴＳ３０ａが存在する場合、ＲＮＣ１００ｃは、移動機４３に対して、周波数帯ｆ１において受信強度を測定するように指示する（ステップＳ２２）。【００５８】
かかる測定指示を受け付けた移動機４３は、周波数帯ｆ１において受信強度を測定し、測定結果をＲＮＣ１００ｃへ送信する。そして、移動機４３は、ＲＮＣ１００ｃによって受信強度が最も良好であると判定されたセルまたはフェムトセルを用いて無線通信を行う。ここでは、ＲＮＣ１００ｃは、フェムトセル３０ａにおける受信強度が最も良好であると判定するものとする。かかる場合、移動機４３は、小型ＢＴＳ３０ａを介して他の移動機等と通信を行う（ステップＳ２３）。【００５９】
図６を用いて、上記処理の流れについて具体的に説明する。図６は、図５に示した無線アクセスネットワーク２に含まれる各装置間における処理の流れを示すシーケンス図である。【００６０】
図６に示すように、移動機４３は、ＢＴＳ２０ｃを経由して、ＲＲＣ  ＣＯＮＮＥＣＴＩＯＮ  ＲＥＱＵＥＳＴ（接続要求）をＲＮＣ１００ｃへ送信する（ステップＳ２０１）。かかる接続要求を受け付けたＲＮＣ１００ｃは、図２に示した例と同様に、ＩＭＳＩ取得処理を行う（ステップＳ２０２〜Ｓ２０４）。【００６１】
続いて、ＲＮＣ１００ｃは、Ｒａｄｉｏ  ｌｉｎｋ  ｓｅｔｕｐをＢＴＳ２０ｃへ送信し（ステップＳ２０５）、ＢＴＳ２０ｃからＲａｄｉｏ  ｌｉｎｋ  ｓｅｔｕｐ  ｃｏｎｆｉｒｍを受け付けて（ステップＳ２０６）、ＢＴＳ２０ｃとの間で無線リンクを設定する。続いて、ＲＮＣ１００ｃは、ＢＴＳ２０ｃを経由して、ＲＲＣ  ＣＯＮＮＥＣＴＩＯＮ  ＳＥＴＵＰを移動機４３へ送信し（ステップＳ２０７）、移動機４３に個別チャネルを割り当てる（ステップＳ２０８）。その後、移動機４３は、ＲＲＣ  ＣＯＮＮＥＣＴＩＯＮ  ＳＥＴＵＰ  ＣＯＭＰＬＥＴＥを、ＲＮＣ１００ｃへ送信する（ステップＳ２０９）。【００６２】
続いて、ＲＮＣ１００ｃは、加入者情報記憶部１４０に記憶されている各種情報に基づいて、移動機４３との間で無線通信を行うことが許可されており、かつ、周辺ＢＴＳがＢＴＳ２０ｃであり、かつ、周波数帯ｆ２と異なる周波数帯のフェムトセルを収容する小型ＢＴＳが存在するか否かを判定する（ステップＳ２１０）。ここでは、ＲＮＣ１００ｃは、前述した条件を満たす小型ＢＴＳとして、小型ＢＴＳ３０ａが存在すると判定する。【００６３】
続いて、ＲＮＣ１００ｃは、前述した条件を満たす小型ＢＴＳ３０ａによって収容されているフェムトセルＣ３０ａの周波数帯である周波数帯ｆ１において受信強度を測定させるために、ＭＥＡＳＵＲＥＭＥＮＴ  ＣＯＮＴＲＯＬを移動機４３へ送信する（ステップＳ２１１）。具体的には、ＲＮＣ１００ｃは、ＭＥＡＳＵＲＥＭＥＮＴ  ＣＯＮＴＲＯＬに含まれるＩｎｔｅｒ−ｆｒｅｑｕｅｎｃｙ  ｍｅａｓｕｒｅｍｅｎｔという項目（図４を参照）に、周波数帯ｆ１を設定して送信する。これにより、ＲＮＣ１００ｃは、移動機４３に対して、周波数帯ｆ１において受信強度を測定させることができる。【００６４】
かかるＭＥＡＳＵＲＥＭＥＮＴ  ＣＯＮＴＲＯＬを受信した移動機４３は、周波数帯ｆ１において受信強度を測定する（ステップＳ２１２）。ここでは、移動機４３は、セルＣ２０−１ｃにおいて受信強度を測定するとともに、フェムトセルＣ３０ａにおいて受信強度を測定するものとする。続いて、移動機４３は、受信強度の測定結果を通知するために、ＭＥＡＳＵＲＥＭＥＮＴ  ＲＥＰＯＲＴを、ＲＮＣ１００ｃへ送信する（ステップＳ２１３）。【００６５】
かかるＭＥＡＳＵＲＥＭＥＮＴ  ＲＥＰＯＲＴを受信したＲＮＣ１００ｃは、測定結果に基づいて、セルＣ２０−１ｃまたはフェムトセルＣ３０ａのうち、受信強度が良好である一方を選択するか、フェムトセルを優先的に使用させるため通信可能な受信強度であればフェムトセルＣ３０ａを選択する。ここでは、セルＣ２０−１ｃにおける受信強度よりも、フェムトセルＣ３０ａにおける受信強度の方が良好であるものとする。かかる場合、ＲＮＣ１００ｃは、移動機４３に、フェムトセルＣ３０ａを収容する小型ＢＴＳ３０ａを利用させる。【００６６】
具体的には、ＲＮＣ１００ｃは、Ｒａｄｉｏ  ｌｉｎｋ  ｓｅｔｕｐを小型ＢＴＳ３０ａへ送信する（ステップＳ２１４）。そして、ＲＮＣ１００ｃは、小型ＢＴＳ３０ａからＲａｄｉｏ  ｌｉｎｋ  ｓｅｔｕｐ  ｃｏｎｆｉｒｍを受け付けて（ステップＳ２１５）、小型ＢＴＳ３０ａとの間で無線リンクを設定する。【００６７】
続いて、ＲＮＣ１００ｃは、セルＣ２０−２ｃからフェムトセルＣ３０ａへハンドオーバさせるために、ＰＨＹＳＩＣＡＬ  ＣＨＡＮＮＥＬ  ＲＥＣＯＮＦＩＧＵＲＡＴＩＯＮを移動機４３へ送信する（ステップＳ２１６）。また、ＲＮＣ１００ｃは、上位装置１０ａに対してＳｅｒｖｉｃｅ  Ｒｅｑｕｅｓｔを送信して（ステップＳ２１７）、ＳＣＣＰ接続を確立する。【００６８】
ＰＨＹＳＩＣＡＬ  ＣＨＡＮＮＥＬ  ＲＥＣＯＮＦＩＧＵＲＡＴＩＯＮを受信した移動機４３は、ハンドオーバ処理が完了したことを示すＰＨＹＳＩＣＡＬ  ＣＨＡＮＮＥＬ  ＲＥＣＯＮＦＩＧＵＲＡＴＩＯＮ  ＣＯＭＰＬＥＴＥを、ＲＮＣ１００ｃへ送信する（ステップＳ２１８）。以後、移動機４３は、小型ＢＴＳ３０ａを介して他の移動機等と通信を行う。【００６９】
続いて、ＲＮＣ１００ｃは、ＢＴＳ２０ｃへＲａｄｉｏ  ｌｉｎｋ  ｄｅｌｅｔｉｏｎ  ｒｅｑｕｅｓｔを送信し（ステップＳ２１９）、ＢＴＳ２０ｃからＲａｄｉｏ  ｌｉｎｋ  ｄｅｌｅｔｉｏｎ  ｒｅｓｐｏｎｓｅを受け付け（ステップＳ２２０）、ＢＴＳ２０ｃとの無線リンクは削除する。【００７０】
なお、ステップＳ２１０において、前述した条件を満たす小型ＢＴＳ３０が存在しない場合、ＲＮＣ１００ｃは、移動機４３に対してハンドオーバ処理を行わせない。かかる場合、移動機４３は、ＢＴＳ２０ｃを介して他の移動機と通信を行うことになる。【００７１】
このように、本実施例に係るＲＮＣ１００は、複数の周波数帯のセルまたはフェムトセルが収容されている領域に位置する移動機からＢＴＳを用いる旨の接続要求を受け付けた場合に、前述した条件を満たす小型ＢＴＳが収容するフェムトセルの周波数帯において受信強度を測定するように指示するので、移動機に対して、小型ＢＴＳ３０を利用させることができる。これにより、ＲＮＣ１００は、特定の移動機に特定のＢＴＳを利用させるアクセス制御を行うことができる。【００７２】
なお、図６に示した例では、移動機４３に個別チャネルを割り当てた後に、ＭＥＡＳＵＲＥＭＥＮＴ  ＣＯＮＴＲＯＬを送信することで、移動機４３に小型ＢＴＳ３０ａを利用させる例を示したが、ＲＮＣ１００ｃは、個別チャネルを割り当てずに、移動機４３に小型ＢＴＳ３０ａを利用させるようにしてもよい。【００７３】
図７を用いて具体的に説明する。図７は、移動機４３に個別チャネルを割り当てない場合における無線アクセスネットワーク２に含まれる各装置間における処理の流れを示すシーケンス図である。【００７４】
図７に示すように、移動機４３は、ＲＲＣ  ＣＯＮＮＥＣＴＩＯＮ  ＲＥＱＵＥＳＴをＲＮＣ１００ｃへ送信し（ステップＳ３０１）、かかる接続要求を受け付けたＲＮＣ１００ｃは、ＩＭＳＩ取得処理を行う（ステップＳ３０２〜Ｓ３０４）。【００７５】
続いて、ＲＮＣ１００ｃは、周波数帯ｆ１のセルまたはフェムトセルを用いて無線通信を行わせるために、移動機４３に対して、ＲＲＣ  ＣＯＮＮＥＣＴＩＯＮ  ＲＥＪＥＣＴを送信する（ステップＳ３０５）。図８に、ＲＲＣ  ＣＯＮＮＥＣＴＩＯＮ  ＲＥＪＥＣＴのフレームフォーマットを示す。図８に示すように、ＲＲＣ  ＣＯＮＮＥＣＴＩＯＮ  ＲＥＪＥＣＴには、Ｒｅｄｉｒｅｃｔｉｏｎ  ｉｎｆｏという項目が存在する。ＲＮＣ１００ｃは、Ｒｅｄｉｒｅｃｔｉｏｎ  ｉｎｆｏに周波数帯ｆ１を設定して、ＲＲＣ  ＣＯＮＮＥＣＴＩＯＮ  ＲＥＪＥＣＴを送信する。なお、ＲＲＣ  ＣＯＮＮＥＣＴＩＯＮ  ＲＥＪＥＣＴは、個別チャネルによって送信されるので、ＲＮＣ１００ｃは、移動機４３に対してのみ、周波数帯ｆ１のセルまたはフェムトセルを用いて無線通信を行うように指示することができる。【００７６】
ＲＲＣ  ＣＯＮＮＥＣＴＩＯＮ  ＲＥＪＥＣＴを受信した移動機４３は、周波数帯ｆ１のセルをサーチする（ステップＳ３０６）。ここでは、移動機４３は、フェムトセルＣ３０ａを補足したものとする。続いて、移動機４３は、周波数帯ｆ１のフェムトセルＣ３０ａを用いて小型ＢＴＳ３０ａとの間で無線通信を行う旨のＲＲＣ  ＣＯＮＮＥＣＴＩＯＮ  ＲＥＱＵＥＳＴを、ＲＮＣ１００ｃへ送信する（ステップＳ３０７）。【００７７】
かかるＲＲＣ  ＣＯＮＮＥＣＴＩＯＮ  ＲＥＱＵＥＳＴを受信したＲＮＣ１００ｃは、小型ＢＴＳ３０ａに対して、Ｒａｄｉｏ  ｌｉｎｋ  ｓｅｔｕｐを送信し（ステップＳ３０８）、小型ＢＴＳ３０ａからＲａｄｉｏ  ｌｉｎｋ  ｓｅｔｕｐ  ｃｏｎｆｉｒｍを受け付けて（ステップＳ３０９）、ＢＴＳ２０ｃとの間で無線リンクを設定する。【００７８】
続いて、ＲＮＣ１００ｃは、小型ＢＴＳ３０ａを経由して、ＲＲＣ  ＣＯＮＮＥＣＴＩＯＮ  ＳＥＴＵＰを移動機４３へ送信し（ステップＳ３１０）、移動機４３に個別チャネルを割り当てる（ステップＳ３１１）。その後、移動機４３は、ＲＲＣ  ＣＯＮＮＥＣＴＩＯＮ  ＳＥＴＵＰ  ＣＯＭＰＬＥＴＥを、ＲＮＣ１００ｃへ送信する（ステップＳ３１２）。【００７９】
このように、ＲＮＣ１００ｃは、ＲＲＣ  ＣＯＮＮＥＣＴＩＯＮ  ＲＥＪＥＣＴを移動機４３へ送信することで、個別チャネルを割り当てずに、移動機４３に小型ＢＴＳ３０ａを利用させるようにすることができる。【００８０】
次に、上記（３）２つの周波数帯のセルまたはフェムトセルが存在する領域に所在する移動機から、小型ＢＴＳとの間で無線通信を行う旨の接続要求を受け付けた場合におけるＲＮＣの処理の概要について説明する。図９は、本実施例に係るＲＮＣ１００ａ〜１００ｃを含む無線アクセスネットワーク３の一例を示す図である。図９に示した無線アクセスネットワーク３は、図５に示した無線アクセスネットワーク２と同様の各種装置を含む。【００８１】
図９に示した例において、移動機４４は、周波数帯ｆ１における受信強度を測定するように指示されているものとする。また、移動機４４は、図９に示したように、フェムトセルＣ３０ａに在圏するものとする。また、移動機４４は、小型ＢＴＳ３０ａとの間で無線通信を行うことが許可されていないものとする。【００８２】
このような条件の下、フェムトセルＣ３０ａに在圏する移動機４４は、他の移動機と通信を行う場合に、小型ＢＴＳ３０ａとの間で無線通信を行う旨の接続要求をＲＮＣ１００ｃへ送信する（ステップＳ３０）。かかる接続要求を受け付けたＲＮＣ１００ｃは、図１に示した例と同様に、接続要求に含まれるＴＭＳＩが加入者情報記憶部１４０に記憶されていない場合に、接続要求に含まれるＴＭＳＩに対応するＩＭＳＩを取得する（ステップＳ３１）。【００８３】
続いて、ＲＮＣ１００ｃは、移動機４４が、周波数帯の異なる複数のセルが存在する領域に所在しているか否かを判定する。図９に示した例のように、移動機４４が、周波数帯の異なる複数のセルＣ２０−１ｃおよびＣ２０−２ｃが存在する領域に所在している場合、ＲＮＣ１００ｃは、加入者情報記憶部１４０に記憶されている各種情報に基づいて、移動機４４と小型ＢＴＳ３０ａとの間で無線通信を行うことが許可されているか否かを判定する。【００８４】
図９に示した例のように、移動機４４と小型ＢＴＳ３０ａとの間で無線通信を行うことが許可されていない場合、ＲＮＣ１００ｃは、移動機４４に対して、現在測定指示中の周波数帯ｆ１と異なる周波数帯ｆ２において受信強度を測定するように指示する（ステップＳ３２）。【００８５】
かかる測定指示を受け付けた移動機４４は、周波数帯ｆ２のセルＣ２０−２ｃにおける受信強度を測定し、測定結果をＲＮＣ１００ｃへ送信する。ＲＮＣ１００ｃによって受信強度が規定値以上であると判定された場合に、移動機４４は、セルＣ２０−２ｃを用いてＢＴＳ２０ｃと無線通信を行うことで他の移動機等と通信を行う（ステップＳ３３）。【００８６】
ここで、移動機４４にセルＣ２０−２ｃを用いさせる理由について説明する。図９に示した例において、移動機４４が小型ＢＴＳ３０ａを利用することが許可されていない場合に、移動機４４にセルＣ２０−１ｃを用いてＢＴＳ２０ｃと無線通信を行わせることも可能である。しかし、ＲＮＣ１００ｃは、移動機４４から小型ＢＴＳ３０ａを利用する旨の接続要求を受け付けるたびに、セルＣ２０−１ｃを用いるように指示する必要がある。一方、移動機４４にセルＣ２０−２ｃを用いさせると、その後は、移動機４４からセルＣ２０−２ｃを用いる旨の接続要求を受け付けるので、ＲＮＣ１００ｃは、接続要求のたびに移動機４４に対して他のセルを用いるように指示する処理を行う必要がなくなる。したがって、ＲＮＣ１００ｃにかかる処理負荷を低減することができる。【００８７】
図１０を用いて、上記処理の流れについて具体的に説明する。図１０は、図９に示した無線アクセスネットワーク３に含まれる各装置間における処理の流れを示すシーケンス図である。【００８８】
図１０に示すように、移動機４４は、小型ＢＴＳ３０ａを経由して、ＲＲＣ  ＣＯＮＮＥＣＴＩＯＮ  ＲＥＱＵＥＳＴをＲＮＣ１００ｃへ送信する（ステップＳ４０１）。かかる接続要求を受け付けたＲＮＣ１００ｃは、図６に示した例と同様に、ＩＭＳＩ取得処理を行う（ステップＳ４０２〜Ｓ４０４）。【００８９】
続いて、ＲＮＣ１００ｃは、加入者情報記憶部１４０に記憶されている各種情報に基づいて、移動機４４と小型ＢＴＳ３０ａとの間で無線通信を行うことが許可されているか否かを判定する（ステップＳ４０５）。ここでは、ＲＮＣ１００ｃは、移動機４４と小型ＢＴＳ３０ａとの間で無線通信を行うことが許可されていないと判定する。【００９０】
続いて、ＲＮＣ１００ｃは、周波数帯ｆ２のセルまたはフェムトセルを用いて無線通信を行わせるために、移動機４４に対して、ＲＲＣ  ＣＯＮＮＥＣＴＩＯＮ  ＲＥＪＥＣＴを送信する（ステップＳ４０６）。具体的には、ＲＮＣ１００ｃは、Ｒｅｄｉｒｅｃｔｉｏｎ  ｉｎｆｏに周波数帯ｆ２を設定して、ＲＲＣ  ＣＯＮＮＥＣＴＩＯＮ  ＲＥＪＥＣＴを送信する。【００９１】
ＲＲＣ  ＣＯＮＮＥＣＴＩＯＮ  ＲＥＪＥＣＴを受信した移動機４４は、周波数帯ｆ２のセルをサーチし、セルＣ２０−２ｃを補足する（ステップＳ４０７）。続いて、移動機４４は、周波数帯ｆ２のセルＣ２０−２ｃを用いてＢＴＳ２０ｃとの間で無線通信を行う旨のＲＲＣ  ＣＯＮＮＥＣＴＩＯＮ  ＲＥＱＵＥＳＴを、ＲＮＣ１００ｃへ送信する（ステップＳ４０８）。【００９２】
かかるＲＲＣ  ＣＯＮＮＥＣＴＩＯＮ  ＲＥＱＵＥＳＴを受信したＲＮＣ１００ｃは、ＢＴＳ２０ｃに対して、Ｒａｄｉｏ  ｌｉｎｋ  ｓｅｔｕｐを送信し（ステップＳ４０９）、ＢＴＳ２０ｃからＲａｄｉｏ  ｌｉｎｋ  ｓｅｔｕｐ  ｃｏｎｆｉｒｍを受け付けて（ステップＳ４１０）、ＢＴＳ２０ｃとの間で無線リンクを設定する。【００９３】
続いて、ＲＮＣ１００ｃは、ＢＴＳ２０ｃを経由して、ＲＲＣ  ＣＯＮＮＥＣＴＩＯＮ  ＳＥＴＵＰを移動機４４へ送信し（ステップＳ４１１）、移動機４４に個別チャネルを割り当てる（ステップＳ４１２）。その後、移動機４４は、ＲＲＣ  ＣＯＮＮＥＣＴＩＯＮ  ＳＥＴＵＰ  ＣＯＭＰＬＥＴＥを、ＲＮＣ１００ｃへ送信する（ステップＳ４１３）。【００９４】
このように、本実施例に係るＲＮＣ１００は、周波数帯の異なる複数のセルまたはフェムトセルが存在する領域に所在する移動機から小型ＢＴＳ３０を用いる旨の接続要求を受け付けた場合に、移動機と小型ＢＴＳ３０との間で無線通信を行うことが許可されているか否かを判定し、移動機と小型ＢＴＳ３０との間で無線通信を行うことが許可されていない場合に、移動機に対して他の周波数帯のセルまたはフェムトセルを用いて無線通信を行うように指示するので、接続要求のたびに移動機に対して他のセルを用いるように指示する処理を行うことなく、特定の移動機以外に特定のＢＴＳを利用させないアクセス制御を行うことができる。【００９５】
次に、本実施例に係るＲＮＣ１００の構成について説明する。図１１は、本実施例に係るＲＮＣ１００の構成を示す図である。なお、図１１では、本実施例に係るＲＮＣ１００によるアクセス制御を実現するために必要な構成のみを図示している。【００９６】
図１１に示すように、ＲＮＣ１００は、伝送路インタフェース（以下、「Ｉ／Ｆ」という）１１０と、基地局Ｉ／Ｆ１２０と、スイッチ部（以下、「ＳＷ」という）１３０と、加入者情報記憶部１４０と、処理部１５０とを有する。【００９７】
伝送路Ｉ／Ｆ１１０は、上位装置１０ａとの間で各種情報を送受するためのインタフェースである。基地局Ｉ／Ｆ１２０は、ＢＴＳ２０や小型ＢＴＳ３０との間で各種情報を送受するためのインタフェースである。【００９８】
ＳＷ１３０は、ＲＮＣ１００内において、各種信号を伝送し、例えば、ＡＴＭ（Asynchronous  Transfer  Mode）−ＳＷである。ＳＷ１３０には、伝送路Ｉ／Ｆ１１０や、基地局Ｉ／Ｆ１２０、処理部１５０が接続される。機能部間における信号の送受は、ＳＷ１３０を中継して行われる。【００９９】
加入者情報記憶部１４０は、移動機ごとに、かかる移動機との間で無線通信を行うことが許可されている小型ＢＴＳに関する情報等を記憶する。加入者情報記憶部１４０の一例を図１２に示す。図１２に示すように、加入者情報記憶部１４０は、端末識別情報、小型ＢＴＳ識別情報、周辺ＢＴＳ識別情報といった項目を有する。【０１００】
端末識別情報は、移動機４０を識別するための識別情報であり、ＩＭＳＩとＴＭＳＩとを対応付けて記憶する。なお、ＴＭＳＩは、上位装置によって一時的に払い出される識別情報であるため、加入者情報記憶部１４０のＴＭＳＩには情報が記憶されていない場合もある。また、図１２に示した加入者情報記憶部１４０では、図１、図５および図９に示した小型ＢＴＳに付した参照符号をＩＭＳＩとして記憶するものとする。【０１０１】
小型ＢＴＳ識別情報は、対応する端末識別情報が示す移動機との間で無線通信を行うことが許可されている小型ＢＴＳを識別するための識別情報である。なお、図１２に示した加入者情報記憶部１４０では、図１、図５および図９に示した小型ＢＴＳに付した参照符号を小型ＢＴＳ識別情報として記憶するものとする。【０１０２】
周辺ＢＴＳ識別情報は、対応する小型ＢＴＳ識別情報が示す小型ＢＴＳによって収容されているフェムトセルが存在する領域を含む領域にセルを収容しているＢＴＳを識別するための識別情報である。なお、図１２に示した加入者情報記憶部１４０では、図１、図５および図９に示したＢＴＳに付した参照符号を周辺ＢＴＳ識別情報として記憶するものとする。【０１０３】
すなわち、図１２に示した加入者情報記憶部１４０の１行目は、移動機４２と小型ＢＴＳ３０ｃとの間で無線通信を行うことが許可されており、ＢＴＳ２０ｄが、小型ＢＴＳ３０ｃによって収容されているフェムトセルＣ３０ｃが存在する領域を含む領域にセルを収容していることを示している。また、図１２に示した加入者情報記憶部１４０の２行目は、移動機４３と小型ＢＴＳ３０ａ〜３０ｃとの間で無線通信を行うことが許可されており、ＢＴＳ２０ｃが、小型ＢＴＳ３０ａ〜３０ｃによって収容されているフェムトセルＣ３０ａ〜Ｃ３０ｃが存在する領域を含む領域にセルを収容していることを示している。【０１０４】
処理部１５０は、本実施例に係るＲＮＣ１００によるアクセス制御を実現し、識別情報有無判定部１５１と、端末識別情報取得部１５２と、接続要求対象判定部１５３と、複数セル有無判定部１５４と、利用許可判定部１５５と、基地局識別情報取得部１５６と、周波数帯同一判定部１５７と、通信指示部１５８とを有する。【０１０５】
識別情報有無判定部１５１は、移動機から受け付けた接続要求に含まれる端末識別情報が、加入者情報記憶部１４０に記憶されているか否かを判定する処理部である。具体的には、識別情報有無判定部１５１は、移動機から接続要求を受け付けた場合に、まず、かかる接続要求に含まれる端末識別情報がＴＭＳＩであるか否かを判定する。続いて、識別情報有無判定部１５１は、端末識別情報がＴＭＳＩである場合に、かかるＴＭＳＩが加入者情報記憶部１４０に記憶されているか否かを判定する。【０１０６】
端末識別情報取得部１５２は、上位装置１０ａから、ＴＭＳＩに対応するＩＭＳＩを取得する処理部である。具体的には、端末識別情報取得部１５２は、識別情報有無判定部１５１によって接続要求に含まれるＴＭＳＩが加入者情報記憶部１４０に記憶されていないと判定された場合に、上位装置１０ａに対してＴＭＳＩを送信し、ＴＭＳＩに対応するＩＭＳＩを送信するように要求する。そして、端末識別情報取得部１５２は、上位装置１０ａから送信されるＩＭＳＩを受信し、受信したＩＭＳＩを加入者情報記憶部１４０に登録する。【０１０７】
接続要求対象判定部１５３は、移動機が無線通信を行うことを要求している基地局装置（以下、「接続要求対象ＢＴＳ」という）が小型ＢＴＳであるか否かを判定する処理部である。具体的には、接続要求対象判定部１５３は、接続要求に含まれるセル情報が示すセルを収容している基地局装置が小型ＢＴＳであるか否かを判定する。【０１０８】
例えば、図１に示した例において、セル情報に「フェムトセルＣ３０ａ」を示す情報が設定されている接続要求を受信した場合、接続要求対象判定部１５３は、接続要求対象ＢＴＳが小型ＢＴＳであると判定する。一方、図５に示した例において、セル情報に「セルＣ２０−２ｃ」を示す情報が設定されている接続要求を受信した場合、接続要求対象判定部１５３は、接続要求対象ＢＴＳが小型ＢＴＳでないと判定する。【０１０９】
複数セル有無判定部１５４は、ＢＴＳ２０または小型ＢＴＳ３０が周波数帯の異なる複数のセルを収容しているか否かを判定する処理部である。具体的には、複数セル有無判定部１５４は、接続要求対象判定部１５３によって接続要求対象ＢＴＳが小型ＢＴＳではないと判定された場合に、接続要求対象ＢＴＳが周波数帯の異なる複数のセルを収容しているか否かを判定する。【０１１０】
一方、接続要求対象判定部１５３によって接続要求対象ＢＴＳが小型ＢＴＳであると判定された場合、複数セル有無判定部１５４は、加入者情報記憶部１４０から、接続要求対象ＢＴＳを識別するための基地局識別情報と小型ＢＴＳ識別情報とが一致する周辺ＢＴＳ識別情報を取得する。続いて、複数セル有無判定部１５４は、取得した周辺ＢＴＳ識別情報が示す周辺ＢＴＳが周波数帯の異なる複数のセルを収容しているか否かを判定する。【０１１１】
例えば、図９に示した例において、接続要求対象ＢＴＳが小型ＢＴＳ３０ａである接続要求を受信し、接続要求対象判定部１５３によって接続要求対象ＢＴＳが小型ＢＴＳであると判定されたものとする。また、加入者情報記憶部１４０に記憶されている情報が図１２に示した状態であるものとする。かかる場合、複数セル有無判定部１５４は、加入者情報記憶部１４０から、小型ＢＴＳ識別情報に「３０ａ」が記憶されている周辺ＢＴＳ識別情報「２０ｃ」を取得する。そして、複数セル有無判定部１５４は、ＢＴＳ２０ｃが周波数帯の異なる複数のセルを収容しているか否かを判定する。【０１１２】
利用許可判定部１５５は、接続要求の送信元移動機と接続要求対象ＢＴＳとの間で無線通信を行うことが許可されているか否かを判定する処理部である。具体的には、利用許可判定部１５５は、接続要求対象判定部１５３によって接続要求対象ＢＴＳが小型ＢＴＳであると判定された場合、加入者情報記憶部１４０から、接続要求に含まれる端末識別情報に対応する小型ＢＴＳ識別情報を取得する。続いて、利用許可判定部１５５は、取得した小型ＢＴＳ識別情報が示す小型ＢＴＳが、接続要求対象ＢＴＳであるか否かを判定する。【０１１３】
取得した小型ＢＴＳ識別情報が示す小型ＢＴＳが、接続要求対象ＢＴＳである場合、利用許可判定部１５５は、接続要求の送信元移動機と接続要求対象ＢＴＳとの間で無線通信を行うことが許可されていると判定する。一方、取得した小型ＢＴＳ識別情報が示す小型ＢＴＳが、接続要求対象ＢＴＳでない場合、利用許可判定部１５５は、接続要求の送信元移動機と接続要求対象ＢＴＳとの間で無線通信を行うことが許可されていないと判定する。【０１１４】
基地局識別情報取得部１５６は、加入者情報記憶部１４０から小型ＢＴＳ識別情報を取得する処理部である。具体的には、基地局識別情報取得部１５６は、接続要求対象判定部１５３によって接続要求対象ＢＴＳが小型ＢＴＳでないと判定され、かつ、複数セル有無判定部１５４によって接続要求対象ＢＴＳが周波数帯の異なる複数のセルを収容していると判定された場合に、加入者情報記憶部１４０から、接続要求に含まれる端末識別情報とＩＭＳＩまたはＴＭＳＩに記憶されている情報とが一致し、かつ、接続要求対象ＢＴＳを識別するための基地局識別情報と周辺ＢＴＳ識別情報に記憶されている情報とが一致する小型ＢＴＳ識別情報を取得する。【０１１５】
例えば、図５に示した例において、接続要求対象ＢＴＳがＢＴＳ２０ｃである接続要求を受信し、接続要求対象判定部１５３によって接続要求対象ＢＴＳが小型ＢＴＳでないと判定されたとする。また、加入者情報記憶部１４０に記憶されている情報が図１２に示した状態であるものとする。かかる場合、基地局識別情報取得部１５６は、加入者情報記憶部１４０から、ＩＭＳＩに「４３」が記憶され、かつ、周辺ＢＴＳ識別情報に「２０ｃ」が記憶されている小型ＢＴＳ識別情報「３０ａ、３０ｂ、３０ｃ」を取得する。【０１１６】
周波数帯同一判定部１５７は、基地局識別情報取得部１５６によって取得された小型ＢＴＳ識別情報が示す小型ＢＴＳによって収容されているフェムトセルの周波数帯と、接続要求対象ＢＴＳによって収容されているセルの周波数帯とが同一であるか否かを判定する処理部である。【０１１７】
上記図５を用いた例のように、基地局識別情報取得部１５６によって小型ＢＴＳ識別情報「３０ａ、３０ｂ、３０ｃ」が取得された場合、周波数帯同一判定部１５７は、フェムトセル３０ａの周波数帯と、セルＣ２０−２ｃの周波数帯とが同一であるか否かを判定する。同様に、周波数帯同一判定部１５７は、フェムトセル３０ｂの周波数帯と、セルＣ２０−２ｃの周波数帯とが同一であるか否かを判定し、フェムトセル３０ｃの周波数帯と、セルＣ２０−２ｃの周波数帯とが同一であるか否かを判定する。【０１１８】
通信指示部１５８は、移動機に対してＢＴＳや小型ＢＴＳとの間で無線通信を行わせる処理部である。具体的には、通信指示部１５８は、移動機に対して、接続要求対象ＢＴＳとの無線接続を許可または拒絶したり、所定の周波数帯における受信強度を測定するように指示したりする。また、通信指示部１５８は、移動機から受け付けた受信強度の測定結果に基づいて、受信強度が最も良好であるセルまたはフェムトセルを用いるように指示したり、受信強度が規定値以上であるセルまたはフェムトセルを用いるように指示したりする。【０１１９】
次に、ＲＮＣ１００によるアクセス制御処理の手順について説明する。図１３は、ＲＮＣ１００によるアクセス制御処理手順を示すフローチャートである。図１３に示すように、移動機から接続要求を受け付けた場合に（ステップＳ５０１）、ＲＮＣ１００の識別情報有無判定部１５１は、かかる接続要求に含まれる端末識別情報がＴＭＳＩであるか否かを判定する。端末識別情報がＴＭＳＩである場合（ステップＳ５０２肯定）、識別情報有無判定部１５１は、かかるＴＭＳＩが加入者情報記憶部１４０に記憶されているか否かを判定する。【０１２０】
識別情報有無判定部１５１によって接続要求に含まれるＴＭＳＩが加入者情報記憶部１４０に記憶されていないと判定された場合（ステップＳ５０３否定）、端末識別情報取得部１５２は、上位装置１０ａから、ＴＭＳＩに対応するＩＭＳＩを取得する（ステップＳ５０４）。なお、接続要求に含まれる端末識別情報がＴＭＳＩでない場合（ステップＳ５０２否定）、または、接続要求に含まれるＴＭＳＩが加入者情報記憶部１４０に記憶されている場合（ステップＳ５０３肯定）、端末識別情報取得部１５２は、ＩＭＳＩ取得処理を行わない。【０１２１】
続いて、接続要求対象判定部１５３は、接続要求対象ＢＴＳが小型ＢＴＳであるか否かを判定する。接続要求対象判定部１５３によって接続要求対象ＢＴＳが小型ＢＴＳでないと判定された場合（ステップＳ５０５否定）、通信指示部１５８は、移動機に対して、接続要求対象ＢＴＳを利用することを許可して（ステップＳ５０６）、移動機４３に個別チャネルを割り当てる。【０１２２】
続いて、複数セル有無判定部１５４は、接続要求対象ＢＴＳが周波数帯の異なる複数のセルを収容しているか否かを判定する。複数セル有無判定部１５４によって接続要求対象ＢＴＳが周波数帯の異なる複数のセルを収容していると判定された場合（ステップＳ５０７肯定）、基地局識別情報取得部１５６は、接続要求対象ＢＴＳを周辺ＢＴＳとする小型ＢＴＳの小型ＢＴＳ識別情報を取得する（ステップＳ５０８）。具体的には、基地局識別情報取得部１５６は、加入者情報記憶部１４０から、接続要求に含まれる端末識別情報とＩＭＳＩまたはＴＭＳＩに記憶されている情報とが一致し、かつ、接続要求対象ＢＴＳを識別するための基地局識別情報と周辺ＢＴＳ識別情報に記憶されている情報とが一致する小型ＢＴＳ識別情報を取得する。なお、以下では、基地局識別情報取得部１５６によって取得された小型ＢＴＳ識別情報が示す小型ＢＴＳを「利用候補小型ＢＴＳ」と表記することとする。【０１２３】
続いて、周波数帯同一判定部１５７は、利用候補小型ＢＴＳによって収容されるフェムトセルの周波数帯と、接続要求対象ＢＴＳによって収容されるセルの周波数帯とが同一であるか否かを判定する。周波数帯同一判定部１５７によって同一でないと判定された場合（ステップＳ５０９否定）、通信指示部１５８は、利用候補小型ＢＴＳによって収容されるフェムトセルの周波数帯において受信強度の測定をするように、移動機に対して指示する（ステップＳ５１０）。【０１２４】
続いて、通信指示部１５８は、かかる指示に応答した移動機から測定結果を受け付ける（ステップＳ５１１）。そして、通信指示部１５８は、受け付けた測定結果に基づいて、受信強度が最も良好であるセルまたはフェムトセルか、フェムトセルを優先的に使用させるため通信可能な受信強度であればフェムトセルにハンドオーバを行うように指示する（ステップＳ５１２）。【０１２５】
なお、複数セル有無判定部１５４によって接続要求対象ＢＴＳが周波数帯の異なる複数のセルを収容していないと判定された場合（ステップＳ５０７否定）、または、周波数帯同一判定部１５７によって同一であると判定された場合（ステップＳ５０９肯定）、通信指示部１５８は、移動機に対して、ハンドオーバ処理を行うように指示しない。かかる場合、移動機は、上記ステップＳ５０６において無線接続された接続要求対象ＢＴＳを介して他の移動機と通信を行う。【０１２６】
一方、接続要求対象判定部１５３によって接続要求対象ＢＴＳが小型ＢＴＳであると判定された場合（ステップＳ５０５肯定）、複数セル有無判定部１５４は、加入者情報記憶部１４０から、接続要求対象ＢＴＳの小型ＢＴＳ識別情報に対応する周辺ＢＴＳ識別情報を取得する。続いて、複数セル有無判定部１５４は、取得した周辺ＢＴＳ識別情報が示す周辺ＢＴＳが周波数帯の異なる複数のセルを収容しているか否かを判定する。【０１２７】
複数セル有無判定部１５４によって周辺ＢＴＳが複数のセルを収容していると判定された場合に（ステップＳ５１３肯定）、利用許可判定部１５５は、接続要求の送信元移動機と接続要求対象ＢＴＳとの間で無線通信を行うことが許可されているか否かを判定する。具体的には、利用許可判定部１５５は、加入者情報記憶部１４０から、接続要求に含まれる端末識別情報に対応する小型ＢＴＳ識別情報を取得する。続いて、利用許可判定部１５５は、取得した小型ＢＴＳ識別情報が示す小型ＢＴＳが、接続要求対象ＢＴＳであるか否かを判定する。【０１２８】
利用許可判定部１５５によって、送信元移動機と接続要求対象ＢＴＳとの間で無線通信を行うことが許可されていないと判定された場合（ステップＳ５１４否定）、通信指示部１５８は、移動機に対して、接続要求対象ＢＴＳを利用することを拒絶して、異なる周波数帯においてセルサーチするように指示する（ステップＳ５１５）。具体的には、通信指示部１５８は、移動機に対して、ＲＲＣ  ＣＯＮＮＥＣＴＩＯＮ  ＲＥＪＥＣＴを送信する。このとき、通信指示部１５８は、ＲＲＣ  ＣＯＮＮＥＣＴＩＯＮ  ＲＥＪＥＣＴに含まれるＲｅｄｉｒｅｃｔｉｏｎ  ｉｎｆｏに、接続要求対象ＢＴＳの周辺ＢＴＳによって収容されている複数のセルの周波数帯のうち、接続要求対象ＢＴＳによって収容されているセルの周波数帯と異なる周波数帯を設定する。【０１２９】
かかるＲＲＣ  ＣＯＮＮＥＣＴＩＯＮ  ＲＥＪＥＣＴを受け付けた移動機は、セルサーチが行を行い、Ｒｅｄｉｒｅｃｔｉｏｎ  ｉｎｆｏに設定されている周波数帯のセルを捕捉する。そして、通信指示部１５８は、移動機によって捕捉されたセルを用いて無線通信を行うように指示する（ステップＳ５１６）。【０１３０】
一方、利用許可判定部１５５によって、送信元移動機と接続要求対象ＢＴＳとの間で無線通信を行うことが許可されていると判定された場合（ステップＳ５１４肯定）、通信指示部１５８は、移動機に対して、接続要求対象ＢＴＳとの間で無線通信を行わせる（ステップＳ５１７）。【０１３１】
また、複数セル有無判定部１５４によって、周辺ＢＴＳが周波数帯の異なる複数のセルを収容していないと判定された場合（ステップＳ５１３否定）、通信指示部１５８は、接続要求対象ＢＴＳとの間で無線通信を行わせる（ステップＳ５１８）。続いて、利用許可判定部１５５は、接続要求の送信元移動機と接続要求対象ＢＴＳとの間で無線通信を行うことが許可されているか否かを判定する。【０１３２】
利用許可判定部１５５によって、送信元移動機と接続要求対象ＢＴＳとの間で無線通信を行うことが許可されていないと判定された場合（ステップＳ５１９否定）、通信指示部１５８は、移動機に対して、接続要求対象ＢＴＳ以外の基地局装置における受信強度を測定するように指示する（ステップＳ５２０）。具体的には、通信指示部１５８は、移動機に対して、Ａｄｄｉｔｉｏｎａｌ  ｍｅａｓｕｒｅｍｅｎｔｓ  ｌｉｓｔに接続要求対象ＢＴＳを設定せずにＭＥＡＳＵＲＥＭＥＮＴ  ＣＯＮＴＲＯＬを送信する。【０１３３】
続いて、通信指示部１５８は、かかる指示に応答した移動機から、受信強度の測定結果を受け付ける（ステップＳ５２１）。そして、通信指示部１５８は、受け付けた測定結果に基づいて、受信強度が最も良好であるセルまたはフェムトセルか、フェムトセルを優先的に使用させるため通信可能な受信強度であればフェムトセルにハンドオーバを行うように指示する（ステップＳ５２２）。【０１３４】
上述してきたように、本実施例に係るＲＮＣ１００は、接続要求に含まれるＴＭＳＩが加入者情報記憶部１４０に記憶されていない場合に、上位装置１０ａからＴＭＳＩに対応するＩＭＳＩを取得するので、移動機と小型ＢＴＳとの間で無線通信を行うことが許可されているか否かを確実に判定することができる。これにより、ＲＮＣ１００は、特定の移動機以外に特定のＢＴＳを利用させないアクセス制御を行うことができる。【０１３５】
また、本実施例に係るＲＮＣ１００は、複数の周波数帯のセルまたはフェムトセルが存在する領域に所在する移動機からＢＴＳを用いる旨の接続要求を受け付けた場合に、移動機との間で無線通信を行うことが許可されており、かつ、周辺ＢＴＳが接続要求対象ＢＴＳであり、かつ、移動機に測定指示中の周波数帯と異なる周波数帯のフェムトセルを収容する小型ＢＴＳが存在するか否かを判定し、条件を満たす小型ＢＴＳが存在する場合、かかる小型ＢＴＳによって収容されているフェムトセルの周波数帯において受信強度を測定するように指示するので、移動機に対して、小型ＢＴＳを利用させることができる。これにより、ＲＮＣ１００は、特定の移動機に特定のＢＴＳを利用させるアクセス制御を行うことができる。【０１３６】
以上のように、本実施例に係るＲＮＣ１００は、特定の移動機以外の移動機に特定のＢＴＳを利用させず、かつ、特定の移動機に特定のＢＴＳを利用させるという制御を行うことができる。【０１３７】
なお、上記実施例では、移動機から接続要求を受け付けるたびに、接続要求に含まれるＴＭＳＩが加入者情報記憶部１４０に記憶されているか否かを判定し、ＴＭＳＩが加入者情報記憶部１４０に記憶されていない場合に、上位装置１０ａからＩＭＳＩを取得する例を示したが、端末識別情報取得部１５２は、定期的に、上位装置１０ａから、ＴＭＳＩに対応するＩＭＳＩを取得するようにして、加入者情報記憶部１４０を更新するようにしてもよい。これにより、移動機から接続要求を受信するたびに、ＴＭＳＩが加入者情報記憶部１４０に登録されているか否かを判定する処理や、上位装置１０ａからＩＭＳＩを取得する処理を行う必要がなくなる。すなわち、複数の移動機からＲＮＣ１００へのアクセスが集中した場合であっても、ＲＮＣ１００にかかる処理負荷が増大してしまうことや、ＲＮＣ１００と上位装置１０ａとの間のトラフィックが増大してしまうことを防止することができる。【０１３８】
また、上記実施例では、無線アクセスネットワークに含まれるＲＮＣとＢＴＳとが分散されている例を示したが、ＲＮＣ１００が有するアクセス制御機能は、ＲＮＣとＢＴＳとが統合されている装置に適用することも可能である。
【図１】
2010004608.tif 000003
【図２】
2010004608.tif 000004
【図３】
2010004608.tif 000005
【図４】
2010004608.tif 000006
【図５】
2010004608.tif 000007
【図６】
2010004608.tif 000008
【図７】
2010004608.tif 000009
【図８】
2010004608.tif 000010
【図９】
2010004608.tif 000011
【図１０】
2010004608.tif 000012
【図１１】
2010004608.tif 000013
【図１２】
2010004608.tif 000014
【図１３】
2010004608.tif 000015
【図１４】
2010004608.tif 000016
【国際調査報告】
2010004608.tif 000017
2010004608.tif 000018